(57)【特許請求の範囲】
【請求項１】
四角形をした板状のデッキ部に上面側が上方に開口した凹部となり且つ下面側が凹部にはめ込むことができる形状の下方に突出した突部となった上開口側程広くなるように側壁部が傾斜した複数の脚部を設けたパレットにおいて、デッキ部の外周縁にデッキ部と一体に上方向にのみ突出する縁リブを設け、デッキ部の下面にデッキ部の外周縁と交差する方向の補強リブを一体に垂設し、この補強リブの少なくとも端部の下縁をデッキ部の外周縁の下面から始まって外周端から離れるにしたがって傾斜する傾斜下縁とし、上記縁リブの上方への突出長さを下段のパレットの脚部の凹部に上段のパレットの脚部の突部をはめ込んだネスティング積み状態における上下のパレットのネスティング高さとほぼ同じ高さとして成ることを特徴とする運搬用パレット。
【発明の詳細な説明】
【０００１】
【発明の属する技術分野】
本発明は、スキッドパレットと称されるシート状の運搬用パレットに関するものである。
【０００２】
【従来の技術】
従来からスキッドパレットと称されるシート状の運搬用パレットとして特開平８ー１４０２６３号公報が知られている。このものは図１１に示すように、長方形の四角形をした板状のデッキ部１に上面側が上方に開口した凹部２となり且つ下面側が凹部２にはめ込むことができる形状の下方に突出した突部３となった複数の脚部４を設けたものであり、図１１に示すように、空の状態の下段のパレット５の脚部４の凹部２に空の状態の上段のパレットの脚部４の突部３をはめ込んだネスティング積みができるようになっていて空の状態で多段に積載した際における嵩を低くできるようにしている。
【０００３】
ところで、上記特開平８ー１４０２６３号公報にはデッキ部１の外周縁に縁リブ６を設けている。この縁リブ６は上下方向に突出する上リブ６ａ、下リブ６ｂにより構成してあり、上リブ６ａによりデッキ部１の上面に載置した載置物の横ずれを防止して載置物の転倒を防止しており、また、下リブ６ｂによりデッキ部１の外周部の補強を行っている。しかしながら、上記従来例にあっては、図１１に示されるように、上リブ６ａは下リブ６ｂよりも突出長さが短くてデッキ部１の上面に載置した載置物の横ずれを防止する効果が十分発揮できない場合がある（特に、載置物が段ボール箱のように角部が凹み変形するようなものの場合、横ずれを防止できない場合がある）。
【０００４】
しかも、下段のパレットの脚部４の凹部２に上段のパレット５の脚部４の突部３をはめ込んだネスティング積みができるようにしたものであるから、上リブ６ａの上方への突出長さと下リブ６ｂの下方への突出長さの合計が下段のパレット５の脚部４の凹部２に上段のパレット５の脚部４の突部３をはめ込んだネスティング積み状態における上下のパレット５のネスティング高さとほぼ同じか短くなければネスティング積みができず、したがって、従来にあっては上リブ６ｂの上方への突出長さを最大限長く取っても、デッキ部１の外周縁の上下に上リブ６ａ、下リブ６ｂを設けているため、上記ネスティング積みの制約により上リブ６ａの上方への突出長さは（ネスティング高さ−下リブ６ｂの垂下長さ）とほぼ同じかあるいは短いものであり、このような制約により、上リブ６ａの突出長さが短くなってしまい、十分な滑り止め効果が得られないという問題があり、十分な滑り止め効果が得られるように上リブ６ａの突出長さを長くしようとすれば、ネスティング高さを高くしなければならず、ネスティング積みの際の嵩が高くなるという問題がある。
【０００５】
また、図１１の従来例においてはデッキ部１の外周縁の上下に上リブ６ａ、下リブ６ｂを設けているので、デッキ部１の外周縁が横向きＴ字状となり、合成樹脂で一体成形すると、図１１のようにデッキ部１の外周側端面にひけ５０が生じ、外観不良になると共に外周縁が波打ってしまうという問題がある。
【０００６】
【発明が解決しようとする課題】
本発明は上記の従来例の問題点に鑑みて発明したものであって、ネスティング積みできるようにしたパレットにおいて、デッキ部の外周側端面にひけが発生したり、外周縁が波打ったりすることがなく、また、ネスティング積みを可能と且つネスティング高さを必要以上に高くしないという制約の中でデッキ部上に載置した載置物の横滑りを確実に防止できる運搬用パレットを提供することを課題とするものである。
【０００７】
【課題を解決するための手段】
本発明の運搬用パレットは、四角形をした板状のデッキ部１に上面側が上方に開口した凹部２となり且つ下面側が凹部２にはめ込むことができる形状の下方に突出した突部３となった上開口側程広くなるように側壁部が傾斜した複数の脚部４を設けたパレット５において、デッキ部１の外周縁にデッキ部１と一体に上方向にのみ突出する縁リブ６を設け、デッキ部１の下面にデッキ部１の外周縁と交差する方向の補強リブ７を一体に垂設し、この補強リブ７の少なくとも端部の下縁をデッキ部１の外周縁の下面から始まって外周端から離れるにしたがって傾斜する傾斜下縁７ａとし、上記縁リブ６の上方への突出長さを下段のパレット５の脚部４の凹部２に上段のパレット５の脚部４の突部３をはめ込んだネスティング積み状態における上下のパレット５のネスティング高さとほぼ同じ高さとして成ることを特徴とするものである。
【０００８】
このような構成とすることで、パレット５を上下にネスティング積み可能とし且つネスティング高さを必要以上に高くしないという条件下で縁リブ６の上方への突出長さをできるだけ長く確保できてデッキ部１の上面に載置した載置物の横滑りを確実に防止でき、また、補強リブ７によりデッキ部１の端部の下面の補強を行ってこれによりデッキ部１の端部を補強している。しかも上記のように縁リブ６をネスティング積み状態における上下のパレット５のネスティング高さとほぼ同じ高さとし且つ補強リブ７によりデッキ部１の端部の下面の補強を行うようにしたにもかかわらず、補強リブ７の少なくとも下縁をデッキ部１の外周縁の下面から始まって外周端から離れるにしたがって傾斜する傾斜下縁７ａとしてあるので、ネスティング積みの際に補強リブ７に邪魔されることなく、縁リブ６の上端を上段のパレット５のデッキ部１の下面に近接配置できるものである。
【０００９】
【発明の実施の形態】
本発明を以下添付図面に示す実施形態に基づいて詳述する。
【００１０】
図３乃至図８には本発明のパレット５が示してあり、このパレット５はスキッドパレットと称されるシート状のパレットであり、合成樹脂の一体成形により形成してある。また、本発明のパレット５は平面視正方形状又は長方形状をした四角形の板状のデッキ部１に上面側が上方に開口した凹部２となり且つ下面側が凹部２にはめ込むことができる形状の下方に突出した突部３となった上開口側程広くなるように側壁部８が傾斜した複数の脚部４を設けてあり、脚部４間がフォーク挿入部９となっている。添付図面に示す実施形態においては上記複数の脚部４はデッキ部１を図面上左右に２等分する線を中心とした線対称に設けてある。
【００１１】
デッキ部１の外周縁には上方向にのみ突出する縁リブ６が一体に突設してある。この縁リブ６はデッキ部１の外周縁のフォーク挿入部に対応した部分以外の部分の全部又は一部にのみ設けてある。縁リブ６の上方への突出長さは後述のように下段のパレット５の脚部４の凹部２に上段のパレット５の脚部４の突部３をはめ込んだネスティング積み状態における上下のパレット５のネスティング高さとほぼ同じ高さに設定してある。ここで、添付図面に示す実施形態においては、図１に示すように縁リブ６の肉厚をパレット５の他の部位よりも厚くしてあり、これにより、縁リブ６の強度を向上させ、載置物の滑り落ち確実に防止できるようにしている。
【００１２】
また、デッキ部１の下面にデッキ部１の外周縁（つまり前後縁、左右縁）と交差する方向（つまり左右方向、前後方向）の補強リブ７を一体に垂設してある。この補強リブ７は一端部がデッキ部１の外周端縁に位置し且つ他端部が脚部４の側壁部８に連続して位置する短い補強リブ７ｂとデッキ部１の下面の前後方向又は左右方向にわたるリブのように長い補強リブ７ｃとがある。上記補強リブ７は少なくとも端部の下縁がデッキ部１の外周縁の下面から始まって外周端から離れるにしたがって傾斜する傾斜下縁７ａとなっている。つまり、短い補強リブ７ｂの場合には該短い補強リブ７ｂの下縁の全長又は端部が傾斜下縁７ａとなっており、長い補強リブ７ｃの場合には該長い補強リブ７ｃの長手方向の端部のみが傾斜下縁７ａとなっている。この補強リブ７はデッキ部１の下面の外周縁において補強リブ７の端部の下方への垂下長さが図１等に示すようにゼロとなっているか又は図１０に示すようにデッキ部１の下面の外周縁において補強リブ７の端部が下方にごく僅か垂下している。
【００１３】
パレット５は空の状態で図１、図２、図９に示すように下段のパレット５の脚部４の凹部２に上段のパレット５の脚部４の突部３をはめ込んだネスティング積みできるようになっており、例えばパレット５を空の状態で図９のように数十段ネスティング積みして保管したり、搬送したりするものであり、これにより保管、搬送の際の嵩を低くできるようになっている。
【００１４】
このようにパレット５をネスティング積みすることができるようにしたものにおいて、本発明においては、すでに述べたように、縁リブ６の上方への突出長さを下段のパレット５の脚部４の凹部２に上段のパレット５の脚部４の突部３をはめ込んだネスティング積み状態における上下のパレット５のネスティング高さとほぼ同じ高さに設定してある。
【００１５】
一例を挙げると、図１においてＡで示すネスティング積み状態における上下のパレット５のネスティング高さを３５ｍｍとした場合、図１においてＢで示す縁リブ６の上方への突出長さが３４ｍｍでネスティング長さとほぼ同じ（実際はネスティング長さよりも１ｍｍだけ短い、つまり１ｍｍの僅かな隙間が生じるようにしてある）。
【００１６】
ここで、デッキ部１の下面の補強をすることでデッキ部１の端部を補強している補強リブ７の少なくとも端部の下縁がデッキ部１の外周縁の下面から始まって外周端から離れるにしたがって傾斜する傾斜下縁７ａとなっているので、ネスティング積みした際に、上記のように縁リブ６の上方への突出長さをネスティング高さとほぼ同じ長さとしたにもかかわず、設計通りのネスティング高さでネスティング積みした状態で補強リブ７の傾斜下縁７ａに縁リブ６の上端が当たるかあるいはごく僅かの隙間を介して近接することになり、補強リブ７に邪魔されることなく設計通りのネスティング高さでネスティング積みできるものである。また、上記のように設計通りのネスティング高さでネスティング積みした状態で補強リブ７の傾斜下縁７ａに縁リブ６の上端が当たるかあるいはごく僅かの隙間を介して近接するので、多段のネスティング積みで上方から荷重がかかっても縁リブ６により荷重の支持が可能となるようになっていて、例えば、パレット５を数十段ネスティング積みしても補強リブ７の傾斜下縁７ａに縁リブ６の上端が当たって上方からの荷重を支持でき、上方からの荷重により突部３が凹部２に食い込むようにはまり込んで抜けにくくなるというような現象を防止することができるものである。
【００１７】
しかして、上記のような構成のパレット５はデッキ部１の上面に載置物を載置し、フォーク挿入部９にフォークリフトのフォークを挿入してパレット５を持ち上げて目的とする所まで移動するものであり、また、パレット５に載置物を載置した状態でトラック等に載置して搬送したり、あるいはパレット５に載置物を載置した状態で倉庫などに保管するものである。
【００１８】
ここで、パレット５に載置された載置物はフォークリフトで持ち上げて移動したり、あるいはトラック等で搬送する際に、パレット５上で横ずれする場合があるが、上記のようにネスティング積みを可能と且つネスティング高さを必要以上に高くしないという制約の中で縁リブ６の上方への突出長さを最大限長く取ることができ、これによりデッキ部上に載置した載置物の横滑りを確実に防止できるものであり、特に、載置物が段ボール箱のように角部が凹み変形するようなものであっても突出長さが長い縁リブ６により確実に横滑りを防止して載置物が転落しないようにできるものである。
【００１９】
ところで、本発明においてはデッキ部１の外周縁に従来のように上下に縁リブ６ａ、下リブ６ｂを設けるのではなく、縁リブを６のみを設けるものであるから、デッキ部１の外周縁は従来のように横向きＴ字状ではなくてＬ字状となって合成樹脂で一体成形してもデッキ部１の外周側端面にひけが生じることがなく、外観不良や外周縁の波打ちという現象を防止できるものである。
【００２０】
【発明の効果】
本発明にあっては、上述のように、デッキ部の外周縁にデッキ部と一体に上方向にのみ突出する縁リブを設け、デッキ部の下面にデッキ部の外周縁と交差する方向の補強リブを一体に垂設し、この補強リブの少なくとも端部の下縁をデッキ部の外周縁の下面から始まって外周端から離れるにしたがって傾斜する傾斜下縁とし、上記縁リブの上方への突出長さを下段のパレットの脚部の凹部に上段のパレットの脚部の突部をはめ込んだネスティング積み状態における上下のパレットのネスティング高さとほぼ同じ高さとしてあるので、ネスティング積みを可能と且つネスティング高さを必要以上に高くしないという制約の中で縁リブの上方への突出長さを最大限長く取ることができてデッキ部の上面に載置した載置物の横滑りを確実に防止でき、また、補強リブによりデッキ部の端部の下面の補強を行うことができるものであり、しかも上記のように縁リブをネスティング積み状態における上下のパレットのネスティング高さとほぼ同じ高さとし且つ補強リブによりデッキ部の端部の下面の補強を行うようにしたにもかかわらず、補強リブの少なくとも下縁をデッキ部の外周縁の下面から始まって外周端から離れるにしたがって傾斜する傾斜下縁としてあるので、ネスティング積みの際に補強リブに邪魔されることなく、縁リブの上端を上段のパレットのデッキ部の下面に近接配置でき、多段のネスティング積みで上方から荷重がかかっても縁リブにより荷重の支持が可能となるものである。
【図面の簡単な説明】
【図１】本発明のパレットをネスティングした状態を示す要部拡大断面図である。
【図２】同上のパレットをネスティングした状態を示す要部拡大正面図である。
【図３】同上のパレットの平面図である。
【図４】同上のパレットの底面図である。
【図５】同上のパレットの正面図である。
【図６】同上のパレットの右側面図である。
【図７】同上の図３のＸーＸ線断面図である。
【図８】同上の図３のＹーＹ線断面図である。
【図９】同上のパレットをネスティング積みした状態の一部省略正面図である。
【図１０】本発明の他の実施形態の要部断面図である。
【図１１】従来例のパレットをネスティング積みした状態を示す拡大断面図である。
【符号の説明】
１  デッキ部
２  凹部
３  突部
４  脚部
５  パレット
６  縁リブ
【図１】
0003954839.tif 000002
【図２】
0003954839.tif 000003
【図３】
0003954839.tif 000004
【図４】
0003954839.tif 000005
【図５】
0003954839.tif 000006
【図６】
0003954839.tif 000007
【図７】
0003954839.tif 000008
【図８】
0003954839.tif 000009
【図９】
0003954839.tif 000010
【図１０】
0003954839.tif 000011
【図１１】
0003954839.tif 000012